(57)【要約】【課題】海上向け携帯信号自立発信装置の提供。【解決手段】本発明は荷台に固定するための手段（１２）が設けられた容器（１０）、その電源供給部（１６）用の少なくともひとつの機能が設けられた挿入部（１４）、前記挿入部を作動させるための手段（１８）、および前記作動手段（１８）を開始させるための移動可能な機械手段（２０）を含む、特に、海上の人向けの携帯可能な信号自律発信装置に関する。
2006522394.tif 000002
【特許請求の範囲】
【請求項１】
持ち運ぶ者上への固定手段（１２）を伴った集積容器（１０）、電源供給部（１６）を備えた少なくともひとつの機能を有する挿入具（１４）、この挿入具の使用手段（１８）およびこれらの使用手段（１８）の作動開始を行う取外し可能な機械手段（２０）を含む特に海上の人向けの携帯可能な自律的信号発信装置。
【請求項２】
作動開始の取外し可能な機械手段が、手袋を着用していても手で容易に掴むことができる人間工学的な一つの掴み部（３２）およびこの掴み部の支え部との取外し可能な連結手段（３４）を含むことを特徴とする請求項１による携帯可能な自律的信号発信装置。
【請求項３】
取外し可能な連結手段（３４）が、掴み部（３２）と受信器（１０）との間に配置されることを特徴とする請求項２による携帯可能な自律的信号発信装置。
【請求項４】
取外し可能な連結手段（３４）が、掴み部（３２）と所持者の間に配置されることおよびそれに配置される連結手段（３３７／３７２）を含むことを特徴とする請求項３による携帯可能で自律的信号発信装置。
【請求項５】
挿入具（１４）が帯金（７２）により作動開始の取外し可能な機械手段（２０）と一体化され、かつ取出し可能であるとともに、この挿入具の使用手段（１８）がこの挿入具（１４）と集積容器（１０）との間に配置されることを特徴とする請求項１から請求項３までのいずれかひとつによる携帯可能な自律的信号発信装置。
【請求項６】
この挿入具（１４）の使用開始手段（１８）が、帯金（７２）による作動開始の取外し可能な機械手段（２０）と一体化されていて、前記挿入具（１４）が集積容器（１０）と一体であることを特徴とする請求項１から請求項５までのいずれかひとつによる携帯可能な自律的信号発信装置。
【請求項７】
作動開始の機械手段（２０）が、自動作動開始の適切な手段の装備された膨張可能な袋（５８０）、および袋のＸ点にある集積容器（５１０）ともうひとつのＹ点との間に配置される帯金（５７２）で、これらＸおよびＹ点が、使用手段（５１８）を作動開始させる機械的引張り力を確保できるように、袋がしぼんでたたまれている時には帯金（５７２）の長さより短い距離だけ、そして袋が膨張している時は帯金（５７２）の長さより長い距離だけ離れているものを含むことを特徴とする請求項１による携帯可能な自律的信号発信装置。
【請求項８】
挿入具（１４）に船側の受信器Ｒによって、または近くの全く別の船舶によって捕捉され、かつ海難者の船舶側の受信器Ｒによってのみ受信され解読される暗号化された情報を発信するのに適切な共通周波数の信号を発信するに適した発信器が含まれることを特徴とする請求項１から請求項７までのいずれかひとつによる携帯可能な自律的信号発信装置。
【発明の詳細な説明】
【技術分野】
【０００１】
本発明は、特に、海上にいる人向けの携帯可能な信号自律発信装置に関する。
【背景技術】
【０００２】
このような装置は機械的作動により、自発的  及び／又は  自動的に作動が開始するものである。海中に落下する危険にさらされる船員あるいはその他の人が身に付ける衣服に義務付けられている多くの装置が知られている。具体的な例を挙げると、よく知られているのはプロの船員あるいは遊覧船の乗員の場合であるが、同様な装置が必要となる類似の用途も本発明には含まれる。
【０００３】
同様に米国特許第４７１４９１４号の請求でも、海上に落下した人向けの警報装置が開示されている。
【０００４】
さらに、とりわけこのような装置には、航海構造体に乗り組む各個人が持ち運ぶ発信器が含まれる。この発信器には電池および塩水中のような導電状態中でこれら２個の電極の水没によって作動させ得る分離電極を伴うスイッチ、といった自律的なエネルギー源が含まれる。
【０００５】
電極が水没した際に発信器の発信する信号の受信器が航海構造体側に設けられる。
【特許文献１】米国特許  第４７１４９１４号
【特許文献２】仏国特許  第２６３８７０５号
【特許文献３】米国特許  第５５２０４８６号
【特許文献４】米国特許  第４０７９３６４号
【発明の開示】
【発明が解決しようとする課題】
【０００６】
このタイプの装置の問題は、海水に落下したのと同じ意味の本当の水没の場合に作動する確実な方法を全面的に保ちつつも、例えば波によって海水が器械内に浸水することによる一時的なスイッチオン状態による誤報を避けるよう電極を保護する能力にある。
【０００７】
この場合に、時間稼ぎをすることが考えられるが、この点はまだ技術的に困難であり、あらゆる時間稼ぎは本当に落下した場合の警報の遅れと同義であるため常に害をもたらすものでしかない。
【０００８】
別の装置では携帯用発信器と航海構造体と一体の受信器とともに機能する。絶え間なく、数秒オーダーの振動数で、発信器は極めて短い信号により反応を得るよう受信器に問いかける。発信器および受信器はプログラムされた距離より遠くに離れると直ぐに救急装置が作動を開始する。このような受信器は、例えば、その周囲の船舶と一体化される。それ故、それから数メーター以上遠ざかるのは難しい。もし、発信器信号が受信されない場合は、海上を漂う人と船舶との間に極めて遠距離の隔たりが存在することになる。
【０００９】
このような装置はこれらが機能していることを常時チェックできるという意味で興味深いものである。一方、これらは不安定なままであり、及び／又は、これらの発信器はすべて常に電源が入っていなければならず、この点は、例え各発信がごく少量のエネルギーしか必要としないにしても、多くの電力消費につながる上に、数名が乗り組んでいる時は、各個人に対して個々の振動数が必要であると共に、エネルギー源の全てを管理する必要があるので問題は複雑となる。
【００１０】
結局、もうひとつ別の制約は、例えば、漁船船員達のための陸上への帰還である、というのは彼らが陸上に降り立つまで装置を切ることを思いつかなければ、意図しない作動が生じ、さらに、次に、元の場所に戻して許可する必要のある安全備品の設置が生ずるからである。この点は満足でない。また、乗組員のうちの他の誰かの落下を認めながら、これらの電気あるいは電子装置は船に残ったままの航海構造体の乗組員の誰かにより自主的に作動開始させることができないという不便さを呈する。このような装置に関して、早く、手軽に、しかし時宣を逸さない方法で手に入るはずのスイッチを備える必要がある。
【００１１】
このような事故が発生する状況には困難な場合が多く、寒さ、海水、防水された備品、胴衣、手袋などにより、特に衝撃から保護された小さなスイッチに手を伸ばすという操作は極めて困難である。既知の数多くの装置は理論的には十分であるが、必要が明らかな場合の状況では役に立てるのが難しい点が残っている。
【００１２】
仏国特許２６３８７０５の請求により、空気中であれ、水中であれ機能する発信器／受信器の全体装置が実際に必要とされているので、水中で機能する発信器と受信器を伴った装置が知られている。空気中で機能する場合には、事故当事者によって持ち運ばれた発信器のアンテナは水の無いところに無くてはならないが、発信器は水没しても構わなく、かつ船舶側にも等しく水没しても大丈夫なピックアップを備える必要がある。従来技術のこの請求中に説明されているのはこの組立構成のものである。
【００１３】
米国特許５５２０４８６には、また、この心臓の作動開始と摘出の手段が設けられた体内心臓を含む閉じた領域を含む装置が説明されている。この装置により困難の際の落水者の救助に本質的に焦点が当てられるので、既知の身体的特徴の手段より以上にこの心臓から連想されるのは、前記心臓に表面を縫合するようにできる膨張可能な要素である。
【００１４】
このような装置はアクセスが制限されかつ微妙に取扱われるものであると同時に、もし、これを理論的に考えることが可能であるとしても、パニックの状況で機能させるのは大変難しいように思われ、中でもこのような荒れた天候の場合が全般にこのようなケースに当てはまる。
【課題を解決するための手段】
【００１５】
米国特許４０７９３６４もまた救命ブイの分野で知られているとともに、ユーザーが持ち運べるように改造されたブイを提案しているが、このブイはアルキメデスの浮力によって、あるいは早く溶解するトローチのような既知の手段によって自動的に作動を開始する。このブイは角笛あるいは発煙筒のような遭難信号の発信器つきのものである。
【００１６】
航海構造体との関わりが無く、さらになお手動の作動開始のことを考慮しない限り、この特許は作動開始手段を対象としている。本発明の対象は航海構造体に乗り組む人々のための装置を提案することにあり、この装置は従来技術の不便さを緩和し、手動、及び／又は、自動的に作動開始させることが可能なもので、単純かつ電力の連続供給を必要としないもので、個人がそろいの衣服とともに機器を持ち運ぶ時でも作動開始が可能であり、全面的な信頼性があり、数多くの乗船者と連結することなくそれ故、だからといって設置を複雑化せずに設置数を増やすことが可能である。
【発明を実施するための最良の形態】
【００１７】
図１Ａに固定手段１２を伴った集積容器１０、電源供給部１６とともに少なくともひとつの機能のついた挿入部１４、この挿入部の使用手段１８およびこれらの使用手段１８の作動開始についての取外し可能な機械手段２０を示した。集積容器１０は、例えば、右面２８および左面３０に加えて上面２４および下面２６を含むプラスチック製の収納箱２２である。上面２４は手で、手袋をはめていても容易に掴むことができる人間工学的な掴み部３２を有している。この掴み部の取外し可能な連結手段３４が前記掴み部とこの上面部との間に配置される。
【００１８】
取り上げられた実施方法では、２つの留め具４０間で曲げられるたわみ性のある薄板片３８によって補完される「ヴェルクロ」タイプの自動掴みバンドの遊び３６の問題である。下面２６はこの場合に強力な連結能力を有する「ヴェロクロ」型の自動掴みバンド４２の遊びを含む固定手段１２を有し、一部４２−１はこの下面２４上に持ってこられると共に、残りの部分４２−２は保護すべき人が身に付ける衣服４４上にもってこられる。
【００１９】
変型例として、固定手段類はごく単純にベルトにすることができる。
【００２０】
示された方法では、収納箱２２は防水されるとともに、右面２８上に位置する蓋４６を含む。この蓋は防水されているが、取り出すことも可能である。
【００２１】
収納箱は、さらに、左面３０上の内部に固定点４８を含む。
【００２２】
少なくともひとつの機能を有する挿入部１４には、作動装置４８が含まれる。基本的な実施方法の装置の本ケースでは、この作動装置は唯一の機能、すなわち、図２で示される受信器Ｒ上で作用が可能な指定振動数に応じた信号の発信機能しか許されない。前記装置４８には、その最中にこれを完全に感知させないため、樹脂内部に浸水してもかまわない電子回路５０が含まれる。この作動装置４８は電源供給手段１６に接続される。
【００２３】
一方、使用手段１８は、後で説明されるように、この装置に作動開始に関する電源供給のみを行なうように前記装置４８と前記電源供給手段との間に配置される。このような使用手段１８の図示例が図１Ｂ上に詳述されている。
【００２４】
しなやかな薄膜５６によって閉ざされた挿入部１４の受け溝５４中で動かないようにしたコア部５２の問題である。このコア部は、この場合には、円形留め具５８のような適合手段により取外し可能なようにこの受け溝の中に固定されている。
【００２５】
スイッチ６０にはひとつのブリッジ６２とふたつの端子６４が含まれ、このブリッジはコア部５２上に支持をとるひとつのバネ６６と一体である。バネ６６より弱いもうひとつのバネ６８が、端子上でこのブリッジを押しつけることになる。このように、ブリッジは２ヶ所とることができ、ひとつはブリッジがスイッチの端子６４から分離されている図１Ｂで示されるもので、バネ６６が卓越しており、もうひとつは図示されていないが、ブリッジは端子上で押しつけられ、バネ６６はもはや効果を持たず、バネ６８だけが作用し電源の連続性を保証するものである。
【００２６】
つなぎ材７０はコア部５２および固定点４８間の機械的連結を構成する。さらに、本ケースの場合には掴み部３２とともに、もうひとつのつなぎ材７２は挿入部１４と作動開始の機械的手段２０間の取外し可能な連結を構成する。このつなぎ材には作動装置４８により発信される信号が伝播可能な、例えば、銅合金の伝導体ケーブルが含まれる。
【００２７】
本発明による装置が、今度は、中でも特に図２に関する実施例で説明される。この実施例では外洋レースヨットまたは漁船の乗組員を対象としている。
【００２８】
すべての乗組員は耐寒保護服、当直服、または漁労用防水耐水服を装備している。各服には縫製にとらわれないでこの衣服上にもってこられる固定手段の部分４２−２が含まれる。さらに、作動装置によって発信される信号の受信器が船上に装備されるとともに、艦載電源に接続され受信に備えて連続した作動状態になる。乗組員の各自の振動数にだけ対応する作動装置４８の信号受信器として指定された振動数をキャッチしやすいラジオ受信器を備えることができ、この振動数はすべての作動装置について同一である。
【００２９】
乗組員が作業中または操船中は、装置４８には電源が供給されないまま、各発信は電源供給部１６の備蓄の一部を消費するようになる。装置全体は警戒状態になく受信器以外はすべてが停止しているが、受信器に関して電力消費の問題は何も起きない。
【００３０】
もし、人が海に落下すると、その人はストレス状況の中で、手袋をはめていようと水の中だろうと可能に成り次第、人間工学的で掴みやすい掴み部３２を掴む。反射反応は早く、かつこの救急の掴み部の把握はほぼあっという間である。この掴み部を引っ張ると、しなやかな薄板片３８が少しだけ曲がるとともに留め具４０から外れて取り出しが自由となる。この掴み部の取外し可能な連結手段３４は限られた保持力しかなく、特に、力が急に増えることが知られているストレス状況下では、掴み部を引くとき容易に負ける。海上の人は掴み部の引きを確実にし、この帯金７２により防水された容器１０から外れて挿入具１４の引き出しを確実にする。この挿入具は右側から取り出されるとともに、嵌め込まれるか回転するその蓋は引っ張る時に自動的に外れる。容器から外れるこの挿入具の移動時に、集積容器１０を構成する収納箱２２の奥に固定されている帯金７０がこの挿入具の使用手段１８の作動開始を確実にする。
【００３１】
もし、図１Ｂに示された好ましい実施方法に向けると、コア部５２は円形留め具５８を飛ばさせて受け溝５４から取り出される。バネ６６はもはや支えをもたずに、防水薄膜５６を変形させる。バネ６８は挿入具の電気回路５０に電源供給しながら端子６４上のブリッジ６２を押しつける。この回路５０に電源が入ると、瞬時に船側にある受信器Ｒによってキャッチされる信号が発信される。海上の人により相変わらず手に掴まれた掴み部はその金属部分がアンテナの役をなし、薄板片３８、帯金７２はこの発信部分を補完することができる。
【００３２】
これらの関係者達は泳いでいようが、チョッキあるいは衣服といった浮ぶ救命装置のおかげであろうが、意識がありかつ、水中ではなく水面上に居る。好ましい方法では、容器と一体となったアリアドネ電線７４は、掴み部が緩む場合でも挿入具が紛失しないようになっている。
【００３３】
発信された信号は処理できると同時に他のすべての要素上の受信器から働きかけることが可能である。このように、信号は船側で音を出す視覚による警報器を作動開始させるかあるいは、後に説明されるような救命いかだ、位置特定ブイ、これらを引き合いに出すだけのための視覚化手段類といった救命手段の放出を確実にすることが可能である。
【００３４】
同様に、説明された挿入具には唯一の機能が含まれるが、数種の機能、さらには、ヨットを荒天航行させる操舵、船を停止させるエンジン出力、円形に航行させるためにエンジン付きの船を操舵する、といった船側の主機能のコマンドと一緒になったリモートコマンドさえも備えることが十分可能である。
【００３５】
同様に、すべての変型例の固定方法は変更が可能であるとともに、バンドの遊びをしなやかな磁気薄片によって置き換えることが可能である。
【００３６】
集積容器の収納箱２２は、携帯する人の動作に対して邪魔をしたり、支障をきたす事が無く、人の探知をより良くするために適合するあらゆる形をとることが可能である。
【００３７】
また、図３に示すような変型例を設けることも可能で、同じ部品の参照番号は１００番台に増やされている。このように、挿入具１１４には容器の収納箱２２にとどまる電源供給部分１１６および作動装置１４８が含まれる。使用手段１８は帯金１７２と直接一体となっている。この場合、帯金１７２は掴み部が海中の人によって舞あげられ、海上に出ることで、発信アンテナとして機能する。
【００３８】
図４に関して図１Ａと図１Ｂと同一の要素は、同一参照番号が２００番台に増やされている。変型例は使用手段２１８と同じレベルにある。この場合には、挿入具２１４の内壁を横切ってすべる軸２１９により支えられるブリッジの問題である。バネ２６８により端子２６４上のブリッジ２６２の上張り部が確保される。この軸は集積容器２１０の収納箱２２２の奥に固定される。挿入具２１４が外されるとすぐ、もはや支えを失った軸はバネの効果で移動するとともに端子上のブリッジを押しつけるようになり、回路２５０の電源が確実に入る。
【００３９】
図５上で、図１Ａおよび図１Ｂと同じ参照は３００番台に増やされて同じ参照となる。この変型例では、方向をそらした使用手段３１８の作動開始の取外し可能な機械手段３２０が配置されている点が有利である。集積容器３１０はその適切な固定手段３１２、電源供給部３１６と少なくともひとつの機能をもつその挿入具３１４、およびこの挿入具の使用手段３１８を保持している。保護ケーブル３３７がこの挿入具の使用手段３１８の作動を確保することが可能となるよう、手段３３６による衣服と一体の台座３３５と挿入具を含む収納箱３２２との間に配置される。
【００４０】
挿入具の取外しが予定される場合には、図６を参照すると参照番号は図５のそれらと１００増えている以外同じである。挿入具４１４の取外し帯金４７２が、前記挿入具の使用開始後に捕捉されることを可能にするために延長されて挿入具上に固定される。この延長部には保護被覆がついていない。この延長部はまた作動開始の自動化手段に連結されることが可能である。
【００４１】
図７Ａおよび図７Ｂを参照すると有益である。参照番号は５００増やされた図１Ａおよび図Ａ２と同じである。
【００４２】
錨索類のようなこれらの自動手段５７６には、利用されない時にはしぼんだ状態である少なくともひとつの袋５８０を含むチョッキ部５７８が含まれる。このように、携帯する者にとってはその活動時に邪魔にならない。この袋は海面から出た頭部で天の方に顔を向けて身体を鉛直方向に維持するよう首部を形成する後頭部の首の右側から出てくる少なくともひとつの部分を含む。このタイプの人命救助器具は十分知られていて現在市販されている。この袋は使用のピックアップつきのような一般に撃鉄つきの小瓶の圧縮空気タンクに連結される。
【００４３】
このようなピックアップは水没に敏感であるとともに、電極および電気装置、がしかし、もっと単純に水没時に剥離する遮断トローチ付きで製作されることが可能である。従って、これは人が意識しなくても瓶に衝撃を与え、ガスの開放および袋の膨張を確保するバネを極めて迅速に開放する。
【００４４】
装置全体は携帯者の意識がはっきりしている時はマニュアルで操作、意識消失の際は自動的に作動開始する手段というように、全体的に二重になっている。
【００４５】
本発明による装置は、作動開始のための膨張可能な袋つきのこの救命具と組合わされる。このように、集積容器５１０の収納箱５２２は袋のＸ点に関係つけられる一方で、取外しの帯金５７２の自由端はこの同じ袋または衣服上の別のＹ点に固定される。ＸおよびＹ点は袋がしぼんでいて折りたたまれている時、帯金５７２の長さ未満の長さだけ袋が膨張しているとき帯金５７２の長さを越える長さだけ離れて、使用手段５１８を作動開始させる機械的引張り力が確保される。
【００４６】
携帯者が海中に落下すると、袋は膨張するとともに電子回路５５０を作動させる帯金５７２上の引張り力が確保される。
【００４７】
装置全体は救命胴衣の首にはめられ、それ自身、回路とともに帯金、及び／又は、収納箱によって形成されるアンテナは、船舶の受信器Ｒの方に良好な条件で発信を可能にするため空中部分に存在する。
【００４８】
掴み部と機械的な作用とともに説明された装置は、また別の乗組員の落下を認めた時、この乗組員が装置を備えているとしても船上にいる乗組員により作動開始されることも可能である。その結果、時間がかなり稼げるとともに、より良い条件で救助に協力できる。いかなる作業の衝突を生ずることもなく、それどころか、逆に強化することになる。
【００４９】
本発明による装置は、使用に供されない限り、監視あるいは交信の装置が要らないのでいかなるエネルギーの消費もないことが認められる。
【００５０】
引張りの機械的手段は大きな信頼性があるとともに、低温度の、もし、携帯者が手袋をはめていても、関連したストレスを伴う海中への落下という困難な条件下で操作され得るとともに、自動化され得る。この場合、指摘される通り、操作が、説明された変型例類におけるようにマニュアルで行なうことも可能であるが、自身が認可された作動開始手段を装備した膨張可能な袋と連動して自動的に行なうことも可能である。
【００５１】
このように、作動開始の手段を多数設けないことで、安全設備に対して完全に信頼を寄せることができる。
【００５２】
図８は救命いかだのような救命手段の放出を行ない得る装置の実施例の第一方法である。この図では、ある船舶の船尾８０が膨張可能なボートを含むコンテナのような救命具８２とともに参照されている。救命具はある端部Ｅ１が固定されていて、他端部Ｅ２が作動開始部の中心部８４とつながれているベルトによって一体化されている。
【００５３】
この作動開始部の中央部には、複数の作動開始器、機械式差し錠付きの１台のマニュアル作動開始器８６、例えば、急変による船舶の浸水の場合、あるいは、難破した場合の塩トローチつきの１台の水圧式作動開始器８８、そして発信器の挿入具の信号を受ける船舶の受信器Ｒに連結される１台の自動作動開始器９０が含まれる。分かるように、救命具にはその使用と圧縮ガスの放出を可能にするガスカートリッジ９２およびロープ９４が含まれる。ロープは一端がカートリッジに他端が自動作動開始器９０につながれる。
【００５４】
ある改良例によると、図９に示されるように、救命具を受ける９０度に開いた二本の腕９８のついた架台９６を備えることが可能である。この架台はその回転を可能にするよう軸９９の廻りにその角度内で自由に回転するよう連結される。
【００５５】
さらに、より高度化した方法では、腕は救命具への適用を容易にするよう伸縮式のタイプにすることが可能である。
【００５６】
船舶が通常の航海中の場合、沈む船舶の場合、そして船舶が転覆した場合に救命具が放出されることが可能であると認められる。
【００５７】
確かに、ロープ９４は膨張の作動開始を可能にするが、さらに作動開始がマニュアルまたは水圧の時には、船舶の救命具とつなぐことも可能にする。
【００５８】
ロープの抵抗は船舶が沈む場合でも用具を放出できるよう常に救命具の浮力によって生じる力より小さい。
【００５９】
自動作動開始を実行する場合には、ロープは膨張を避けるように用具と同時に放出される。海難だけは、すぐ近くに戻り次第、膨張を作動開始させることができる。放出の際に自動膨張する場合、特に風により流されるリスクは極めて重大である。また、前述の説明に補足すると、作動装置４８は船上の受信器により、また本発明による装置が装備された近くの別の船舶により捕捉される共通の振動数上の信号を発信する。
【００６０】
一方、この発信器はまた、受信されて例えば海難者が落下したばかりの船舶側の受信器Ｒによってのみ解読されることができる暗号化された情報を発信する。このように、海難者は発信器の到達範囲内で周辺の船舶を混乱させることなく自分自身の船舶上の作用を開始させることが可能である。
【図面の簡単な説明】
【００６１】
次に本発明による装置が好ましい実施方法ならびに変型例に応じて詳細に説明され、この説明は付録図面に関して行われ、これらの図面に関して様々な図が示される。
【図１Ａ】本発明による装置の実施の好ましい方法に関する発信器の引き出し図付きの単純化した概略図
【図１Ｂ】防水スイッチ例の詳細図
【図２】使用中の装置の概要図
【図３】本発明による装置の実施の第一変型例の概要図
【図４】スイッチの実施の第一変型例の概要図
【図５】鞘付きケーブル付き装置の実施第二変型例の概要図
【図６】第二変型例の改良例
【図７Ａ】膨張前後の段階の膨張可能な袋を伴う装置の第三実施方法の概略図
【図７Ｂ】膨張前後の段階の膨張可能な袋を伴う装置の第三実施方法の概略図
【図８】救命ボートの水上での第一実施方法の図
【図９】救命ボートの水上での改良された第二実施方法の図
【符号の説明】
【００６２】
１０  集積容器
１２  固定手段
１４  挿入部
2006522394.tif 000003
2006522394.tif 000004
2006522394.tif 000005
【図２】
2006522394.tif 000006
【図３】
2006522394.tif 000007
【図４】
2006522394.tif 000008
【図５】
2006522394.tif 000009
【図６】
2006522394.tif 000010
2006522394.tif 000011
【図８】
2006522394.tif 000012
【図９】
2006522394.tif 000013
【国際調査報告】
2006522394.tif 000014
2006522394.tif 000015
2006522394.tif 000016
2006522394.tif 000017
2006522394.tif 000018
2006522394.tif 000019
2006522394.tif 000020
2006522394.tif 000021
2006522394.tif 000022